Podtech/llm-jp-corpus-v4-ja_patent huggingface dataset:
(57)【要約】【課題】足首を前後（上下）に伸縮させて衰えたアキレス腱、ふくらはぎ筋等の足首まわりの筋肉の補強を図る運動器具を提供することを課題とする。【解決手段】本考案の足首運動器具は、底面部を上にした断面が三角形状または五角形状の運動体２の底面部に足固定具４，５を設けた足置板１を合体固定し、運動体２の頂部３を支点として前後方向に自力で回動する。【選択図】図２
0003218127.tif 000002
【実用新案登録請求の範囲】
【請求項１】
底面部を上にした断面が三角形状または五角形状の運動体（２）の底面部に足固定具（４，５）を設けた足置板（１）を合体固定し、運動体（２）の頂部（３）を支点として前後方向に自力で回動する足首運動器具。
【請求項２】
他の固定物への設置固定は行わず関連部品なども使用しない単純構造の独立した請求項１に記載の足首運動器具。
【請求項３】
運動体（２）の前後端部それぞれに運動体（２）の回動角を調整する為の長さを調整できる設置ポイントアジャスター（６）を設けた請求項１または請求項２に記載の足首運動器具。
【請求項４】
頂部（３）を足置板（１）の幅と同じ長さに設定している請求項１から３のいずれか１項に記載の足首運動器具。
【考案の詳細な説明】
【技術分野】
【０００１】
本考案は日常生活の行動の中で運動不足になりがちな足首の関連筋肉を日常業務での立位または座位を問わず業務をしながらでも簡単に足首の運動が行なえる足首運動器具に関する。
【背景技術】
【０００２】
昨今、健康体操や体力増強等の運動施設が身近な環境になっており  器具も相当に進歩し充実してきているが老若男女、年齢を問わず生活のなかでの種々の制約のためについつい大多数の人々が運動不足であるといわれている。また長時間の乗り物移動や高齢介護者などの運動不足による健康障害なども社会的な課題である。従来はこの課題を解決するための特許文献１のような足首運動器具が知られている。    
【先行技術文献】
【特許文献】
【０００３】
【特許文献１】特開平８−３３７３５号公報
【考案の概要】
【考案が解決しようとする課題】
【０００４】
特許文献１のような足首運動器具には以下のような課題がある。
（１）使用者の踵を固定台に乗せつま先を足置き台に乗せて踵を支点としてつま先を上下に動かす。このためにアキレス健及び関連筋肉を充分に伸縮させることができない。
（２）左右の足置き台が別のひとつの固定台にとりつけられているために形が大きくなり重量も重くなるために持ち運びが不便になり使用場所が制限される。
（３）運動体を固定台に取り付ける、さらに回動運動を容易にするために運動力補助の目的で引っ張りバネや押しバネを付ける、など構造的に部品点数が多くなり取り扱いに難がでる。また製品コストが上がる。
【課題を解決するための手段】
【０００５】
本考案の足首運動器具は、底面部を上にした断面が三角形状または五角形状の運動体（２）の底面部に足固定具（４，５）を設けた足置板（１）を合体固定し、運動体（２）の頂部（３）を支点として前後方向に自力で回動することを特徴とする。。
【考案の効果】
【０００６】
（１）左右の足首運動を１００％自力で自由にするために、足首運動器具を右用左用と別々の器具にした為にそれぞれの足の位置、力具合を簡易に調整して運動できる。
（２）足首運動器具の機能を損なうことなく、また他の固定物への設置固定を行うことなく小型軽量化が可能であり簡易に持ち運びができ狭い場所などでも使用でき日常業務と並行で容易に運動が可能である。
（３）頂部を足置板の幅と同じ長さに設定しているために前後に安定した回動が容易であり左右方向に傾動することがなく、足首を痛めるなどの心配はない。  
【図面の簡単な説明】
【０００７】
【図１】本考案の足首運動器具の運動体の透視図。
【図２】足首運動器具の横上からの透視図。
【図３】足を固定した足首運動器具を上から見た図。
【図４】足首運動器具に足を固定して前部に回動した状態を示す図。
【図５】本考案の足首運動器具の他の運動体の透視図。
【考案を実施するための形態】
【０００８】
本考案の足首運動器具の実施形態の一例について図１から図４を参照して説明する。
まず足首運動器具の構造について説明する。この足首運動器具は、底面部を上にした断面が三角形状の運動体２の底面部に足固定具４，５を設けた足置板１を合体固定し、運動体２の頂部３を支点として前後方向に自力で回動する。
また足首運動器具は他の固定物への設置固定は行わず関連部品など
も使用しない単純構造の独立した足首運動器具である。
運動体２の前後端部それぞれに運動体２の回動角を調整する為の長さを調整できる設置ポイントアジャスター６を設けている。さらに
頂部３を足置板１の幅と同じ長さに設定している。
【０００９】
次にこの足首運動器具の使い方について説明する。
（１）運動体２に合体固定された足置板（１）に足をのせ足固定具４、５で足を固定する（図３）。ここでは、足固定具４はつま先を固定する固定バンド４および足首を固定する固定バンド５としたが,足固定具としては靴状のものを足置き板にとりつけてこれにあしを入れて固定してもよい。
（２）運動体２の頂部３を支点として前後方向の回動角を使用者の状態に応じて接地ポイントアジャスター６で適度に調整する。
（３）足首を最も動かしやすいように、回動支点となる運動体２の頂部の床の位置を調整する。
（４）床７と足置板１が平行な位置で支点を接地し回動運動を始める。
足先を下げれば踵は上がり、足先を上げれば踵は下がる。
接地ポイントアジャスター６で適度に調整された角度まで上下回動をくりかえし足首を伸縮させる。1回動作用で前後2つの運動ができ効率的である。足首運動の繰り返しにより長時間の車両や航空機での移動時、あるいは座ったままや寝たままの姿勢による血行不良などが解消される
なお、この実施の形態では運動体２として断面が三角形状のものを示したが、運動体２としては図５に示すように断面が五角形状のものとしてもよい。この場合、運動体２の頂部３とは、底面部に対向する辺を指すものとする。
【産業上の利用可能性】
【００１０】
本考案の製品は健康、長寿の国策にも合するものであり特に介護予防  医療予防にも役に立つものと信じる。また安価に大量普及も可能と思われ産業的にも資すると思われる。
【符号の説明】
【００１１】
１  足置板
２  運動体
３  頂部
４  足固定具（足固定バンド）
５  足固定具（足固定バンド）
６  接地ポイントアジャスター
７  床面
【図１】
0003218127.tif 000003
【図２】
0003218127.tif 000004
【図３】
0003218127.tif 000005
【図４】
0003218127.tif 000006
【図５】
0003218127.tif 000007
(57)【要約】      （修正有）【課題】外反母趾と内反小指を同時に矯正し、足裏に横方向アーチを形成でき足指の力で正しく歩行できる外反母趾及び内反小指矯正用サポータを提供する。【解決手段】足の中足関節を巾方向に締め付ける弾力性の素材からなる筒状バンドのバンド上部に、親指と小指にかぶせる包容部４、６を一体に形成し、足裏の各指の付け根部分から土踏まずの間で、適宜範囲に当たるようにクッション部材９を設けた。【選択図】図２
0003218328.tif 000002
【実用新案登録請求の範囲】
【請求項１】
足の中足関節を巾方向に締め付ける弾力性の素材からなる筒状バンドのバンド上部に、親指と小指にかぶせる包容部を一体に形成し、足裏の各指の付け根部分から土踏まずの間で、適宜範囲に当たるようにクッション部材を設けた外反母趾及び内反小指矯正用サポータ
【考案の詳細な説明】
【技術分野】
【０００１】
本考案は、足裏のアーチ（中足関節）を締め、外反母趾及び内反小指を矯正するサポータに関するものである。
【背景技術】
【０００２】
本出願人は先に図３に示すように（特許文献１参照）、足指を包むようになっている靴下のつま先に近い横中足靭帯と、中足関節に当る部分の巾方向締め付け力を他の部分より強くし、外反母趾を矯正、予防、更に治療し得るようにした外反母趾矯正用靴下を考案した。
また、図４に示すように（特許文献２参照）、足指の第１中足指関節部分全体を覆い巻きできる幅と長さを有する関節固定用バンドと、該関節固定用バンドに連結され、かつ足の親指を包容できる親指包容部と、該親指包容部の外方側面に一端が固定され、該固定箇所から足の外方一側面を通ってかかとを巻回し、外方他側を通って前記関節固定用バンド外面上の任意箇所に届く長さを有し、前記関節固定用バンドの外面に固定する引っぱり用バンドとよりなり、該引っぱり用バンドが関節固定用バンド一側下部に当接する部分と、端部が関節固定用バンドに当接する部分の引っぱり用バンド及び関節固定用バンドの両方に接離自在の固着テープを取り付けたことを特徴とする外反足親指矯正用サポータを発明した。
【先行技術文献】
【特許文献】
【０００３】
【特許文献１】実用新案登録第２５３４７８１号
【特許文献２】特許第１５８７６１６号
【考案の概要】
【考案が解決しようとする課題】
【０００４】
上記従来技術の前者は、中足関節を巾方向に締め付けているので外反母趾の矯正には効果的であるが、小指を外方に開く作用がないので内反小指の矯正には効果がないという問題点があった。又、後者は、中足関節固定用バンド上部に親指をすっぽり包み入れることのできる親指包容部を一体に成形しているが、外反母趾には効果があるが内反小指の小指を外方に開く作用がないので内反小指の矯正には効果がなかった。又、両者共足裏の横方向アーチが形成されず、正常な歩行ができないという問題点があった。
【課題を解決するための手段】
【０００５】
本考案は上記問題点を解決することを目的とし、足の中足関節を巾方向に締め付ける弾力性の素材からなる筒状バンドのバンド上部に、親指と小指にかぶせる包容部を一体に形成し、足裏の各指の付け根部分から土踏まずの間で、適宜範囲の部分に当たるようにクッション部材を設けたことを特徴とする。
【考案の効果】
【０００６】
本考案は、足の中足関節を巾方向に締め付ける弾力性の素材からなる筒状バンドのバンド上部に、親指と小指にかぶせる包容部を一体に形成してあるので、極めて簡単な構成により外反母趾と、内反小指を同時に矯正し、さらに足裏の各指の付け根部分から土踏まずの間で、適宜範囲に当たるようにクッション部材を設けることで、足裏に横方向アーチを形成でき足指の力で正しく歩行できる。
【図面の簡単な説明】
【０００７】
【図１】本考案の一実施例使用時外観斜視図である。
【図２】本考案の一実施例の使用状態を示す足裏から観た概略平面図である。
【図３】足裏に正しいアーチが形成された足指正面図である。
【図４】従来のサポータの第１比較例正面図である。
【図５】従来のサポータの第２比較例平面図である。
【図６】足裏の横方向ア−チが消失した時の足指正面図である。
【図７】中足関節を内方に締め付けた時の足指骨格の平面図である。
【考案を実施するための形態】
【０００８】
本考案の実施の形態は、図１に示した一実施例に基づいて詳細に説明する。１は本考案の足裏のアーチを締め付け、外反母趾及び内反小指の矯正用サポータで、足２先に挿入する弾力性のある素材で形成され、図７の中足関節部８を巾方向に押圧する筒状のサポータである。その上縁と一体に親指３にかぶせる包容部４と、小指５にかぶせる包容部６を一体に形成し、さらに足裏の各指の付け根部分から土踏まずの間で、適宜範囲に当たるようにクッション部材を設けてある。
この適宜範囲としては、足裏のたこができやすい部分に相当するものである。
【０００９】
使用時は図７のように、中足関節部８を両側から押す力Ｆ１，Ｆ２で内方に押圧し、同時に親指３はかぶせた包容部４により親指３と小指５を分けることにより開き、さらに加えて足裏の五指の付け根から、土踏まずにまたがってクッション部材９を設けたことにより、足裏に図２の如く、横方向アーチ７が形成され正常に歩けるようになる。
【産業上の利用可能性】
【００１０】
サポータだけに限られるものではなく、靴下等にも利用することができる。
【符号の説明】
【００１１】
１・・・・サポータ
２・・・・足
３・・・・親指
４・・・・親指を包む包容部
５・・・・小指
６・・・・小指を包む包容部
７・・・・足裏の横方向アーチ
８・・・・中足関節部
９・・・・クッション部材
【図１】
0003218328.tif 000003
【図２】
0003218328.tif 000004
【図３】
0003218328.tif 000005
【図４】
0003218328.tif 000006
【図５】
0003218328.tif 000007
【図６】
0003218328.tif 000008
【図７】
0003218328.tif 000009
(57)【要約】【課題】ブラックシリカが混在されたシート素材を使用することにより、血管拡張性、血流改善性などを有するブラックシリカを用いたマットを提供する。【解決手段】ブラックシリカを用いたシート素材１０は、天然鉱石であるブラックシリカ原料から鉱害物質が除去され、樹脂材料と混練されたものが、シート状に形成されたものである。ブラックシリカを用いたマット１１は、ブラックシリカを用いたシート素材１０が混在されて形成されており、表面は、通気性を有するダブルラッセル生地を用い、裏面は、ナイロンジャージ生地を用いており、縁取り縫いで形成されており、中赤外線による保温性、毛細血管拡張促進及び血行促進などの優れた効果を有している。【選択図】図１
0003218391.tif 000002
【実用新案登録請求の範囲】
【請求項１】
ブラックシリカを用いたシート素材を使用して形成されたブラックシリカを用いたマットであって、
前記ブラックシリカを用いたシート素材は、天然鉱石であるブラックシリカ原料から鉱害物質が除去され、
前記鉱害物質が除去された前記ブラックシリカ原料は、樹脂材料と混練され、
前記混錬された前記ブラックシリカと前記樹脂材料が、シート状になるように形成されたものであることを特徴とするブラックシリカを用いたマット。
【請求項２】
表面は、通気性を有するダブルラッセル生地を用いており、裏面は、ナイロンジャージ生地を用いており、縁取り縫いで形成され、
中赤外線による保温性、毛細血管拡張促進及び血行促進を有することを特徴とする請求項１に記載のブラックシリカを用いたマット。
【考案の詳細な説明】
【技術分野】
【０００１】
本考案は、ブラックシリカを用いたマットに関する。
【背景技術】
【０００２】
従来、電気を利用した暖房器具、電気と遠赤外線を併用したもの、電気毛布などで温熱を得ていた。介護用としてエアーマットが認定され、体位変換などで看護師の負担を助長している。
【考案の概要】
【考案が解決しようとする課題】
【０００３】
上記の従来の技術において次のような問題点があった。使用する個人の体力及び個人の自己治癒力には一切関係なく、温かさのみを追求し、人間本来の持つ自己治癒力をも奪っていた。介護用としてエアーマットが認定されているが、体位変換など褥瘡対策などで看護師の腰痛の原因ともなっている。また、患者は不安定なエアーマットによる事故なども発生している。本考案は、以上の問題点を解決するために開発されたものである。
【０００４】
本考案は、こうした点に鑑みてなされたものであり、ブラックシリカが混在されたシート素材を使用することにより、血管拡張性、血流改善性などを有するブラックシリカを用いたマットを提供することである。
【課題を解決するための手段】
【０００５】
上記課題を解決するために、本考案に係るブラックシリカを用いたマットは、ブラックシリカを用いたシート素材を使用して形成されたブラックシリカを用いたマットであって、前記ブラックシリカを用いたシート素材は、天然鉱石であるブラックシリカ原料から鉱害物質が除去され、前記鉱害物質が除去された前記ブラックシリカ原料は、樹脂材料と混練され、前記混錬された前記ブラックシリカと前記樹脂材料が、シート状になるように形成されたものであることを特徴とする。また、本考案に係るブラックシリカを用いたマットは、表面は、通気性を有するダブルラッセル生地を用いており、裏面は、ナイロンジャージ生地を用いており、縁取り縫いで形成され、中赤外線による保温性、毛細血管拡張促進及び血行促進を有することを特徴とする。
【考案の効果】
【０００６】
本考案によれば、ブラックシリカが混在されたシート素材を使用することにより、血管拡張性、血流改善性などを有するブラックシリカを用いたマットを提供することができる。また、本考案は、電気を一切使う必要がなく睡眠時の安眠を確保でき、寝ながら個人の毛細血管が活性化し血流が改善することにより、おのずと自己治癒力が高まり体調も回復し、思わぬ病気に対しても効果・改善が期待できるものである。
【図面の簡単な説明】
【０００７】
【図１】実施形態のブラックシリカを用いたマットの一例を示す参考図である。
【考案を実施するための形態】
【０００８】
以下、本考案のブラックシリカを用いたマットについて説明する。
【０００９】
実施形態のブラックシリカを用いたマットに使用するシート素材１０は、繊維製品に用いる素材として形成されたブラックシリカを用いて形成されたシート素材である。ブラックシリカを用いたシート素材１０は、例えば、天然鉱石であるブラックシリカ原料から鉱害物質を除去し、鉱害物質が除去されたブラックシリカ原料は、樹脂材料と混練される。上記のブラックシリカと樹脂材料が混錬されたものが、シート状になるように形成されることで、ブラックシリカを用いたシート素材１０が形成される。
【００１０】
上記の鉱害物質の除去は、一例として、ブラックシリカ原料に含まれる不純物を除去することであり、このように不純物が除去されたブラックシリカ原料を粉砕し、粉砕されたこのブラックシリカ原料が、樹脂材料と混錬される。このようにして形成されたブラックシリカを用いたシート素材１０は、優れた保温性、血流改善などの顕著な効果を有するものである。
【００１１】
ブラックシリカを用いたマット１１は、上記のブラックシリカを用いたシート素材１０が混在されているものであり、ブラックシリカを用いたマット１１は、例えば、表面は、通気性を有するダブルラッセル生地を用いている。また、ブラックシリカを用いたマット１１の裏面は、ナイロンジャージ生地を用いており、縁取り縫いで形成されている。なお、上記の生地及び縫う方法は、一例でありこれに限定されず適宜最適な生地及び方法をを選択すればよい。
【００１２】
このように形成されているマット１１は、中赤外線による保温性、毛細血管拡張促進及び血行促進を有する優れたものである。なお、図１（ａ）は、全身用のブラックシリカを用いたマット１１の一例であり、また、図１（ｂ）は、携帯用のブラックシリカを用いたマット１１の一例である。なお、これらの例は、一例であり、これらに限定されず適宜最適な製品とすればよい。
【００１３】
本考案のブラックシリカを用いたマット１１は、上記のとおりブラックシリカ原料を特殊加工したブラックシリカを用いてマットとして具現化したものである。
【００１４】
すなわち、本考案は、天然鉱石であるブラックシリカ原料に着目し、開発したブラックシリカを用いたマットであり、中赤外線による保温、血流促進などの効果に加え、基礎体温の上昇による細胞の活性化、病気の予防・治癒などの効果も期待できるものである。
【００１５】
以上、本考案の有する特徴及び優れた点を上記実施形態に記載したが、本考案は、本願の実用新案請求の範囲で使用されている言葉を広く一般的な意味に拡張して実施することができる。
【００１６】
また、本考案の上記のブラックシリカを用いたマットは、大きさ、形状、素材の種類、厚さ、重さなどについては多様な実施形態が可能であり、それらについて本実施形態と異なる形態による実施は、本考案の技術的範囲に含まれる。
【符号の説明】
【００１７】
１０    ブラックシリカを用いたシート素材
１１    ブラックシリカを用いたマット
【図１】
0003218391.tif 000003
(57)【要約】      （修正有）【課題】耐震性、防水性、耐圧性、耐食性と保温性を具備できる耐震耐圧防水保温建材板を提供する。【解決手段】石膏板１を含み、石膏板１の表裏面にそれぞれ波紋形のバッファ板７が設けられ、バッファ板７と石膏板１によりなるスリットに充填物が備えられ、充填物は遠心グラスウール材製であり、一方のバッファ板７の表面に外側から防水塗布層３、防食塗布層４、防水板５、バッファパッド６と保温層２が備えられており、防水塗布層３は、非イオン性乳化アスファルト防水塗料又は着色乳化アスファルト防水塗料を塗布してなり、バッファパッド６は天然ゴム製であり、防食塗布層４は結晶片状黒鉛製である。【選択図】図１
0003218318.tif 000002
【実用新案登録請求の範囲】
【請求項１】
石膏板を含み、前記石膏板の表裏面にそれぞれ波紋形のバッファ板が設けられ、前記バッファ板と石膏板によりなるスリットに充填物が備えられ、前記充填物は遠心グラスウール材製であり、その一方のバッファ板の表面に外側から防水塗布層、防食塗布層、防水板、バッファパッドと保温層が備えられており、前記防水塗布層は、非イオン性乳化アスファルト防水塗料又は着色乳化アスファルト防水塗料を塗布してなり、バッファパッドは天然ゴム製であり、前記防食塗布層は結晶片状黒鉛製であることを特徴とする耐震耐圧防水保温建材板。
【請求項２】
前記防水板は高密度ポリエチレン製又はポリ塩化ビニル製であることを特徴とする請求項１に記載の耐震耐圧防水保温建材板。
【請求項３】
前記保温層は、ポリウレタン製であることを特徴とする請求項１に記載の耐震耐圧防水保温建材板。
【考案の詳細な説明】
【技術分野】
【０００１】
本実用新案は、建材板に関し、特に耐震耐圧防水保温建材板に関する。
【背景技術】
【０００２】
徐々に生活水準が高まるようになるにつれて、建材分野において建材板に対する要求も高くなっている。建材板の用途は非常に広くて、店舗について面積の大きい店舗を多くの小さな店舗に分けたり、賃貸住宅についてレンタルを容易にさせるために1つの大きい部屋を多くの小さい個室に分けたりするなどに使われている。従来の隔壁は、一般的に簡単な石膏板であり、仕分けの機能を果たすことができるが、耐圧性、耐震性、耐水性、および保温性のいずれも具備せず、腐食されやすく、寿命が低下してしまい、また交換も大変面倒である。
【考案の概要】
【考案が解決しようとする課題】
【０００３】
本実用新案の目的は、上記の課題を解決する耐震耐圧防水保温建材板を提供することにある。
【課題を解決するための手段】
【０００４】
上記の目的を実現するために、本実用新案の技術方案は、以下の通りである。
耐震耐圧防水保温建材板は、石膏板を含み、前記石膏板の表裏面にそれぞれ波紋形のバッファ板が設けられ、前記バッファ板と石膏板によりなるスリットに充填物が備えられ、前記充填物は遠心グラスウール材製であり、その一方のバッファ板の表面に外側から防水塗布層、防食塗布層、防水板、バッファパッドと保温層が備えられており、前記防水塗布層は、非イオン性乳化アスファルト防水塗料又は着色乳化アスファルト防水塗料を塗布してなり、バッファパッドは天然ゴム製であり、前記防食塗布層は結晶片状黒鉛製である。
【０００５】
より好ましくは、防水板は高密度ポリエチレン製又はポリ塩化ビニル製である。
【０００６】
より好ましくは、保温層は、ポリウレタン製である。
【考案の効果】
【０００７】
従来の技術と比較すると、本実用新案の優れた点は、構成が簡単で、層間がはっきりとしている。また、保温と防水の機能もある。波紋形のバッファ層が設けられているので、耐震と耐圧の機能を果たすことができる。防水塗布層、防食塗布層、防水板、バッファパッドと保温層が設けられているので、隔壁板は強い防水性、耐圧性、耐食性と保温性を具備できるようになる点にある。非イオン性乳化アスファルト防水塗料又は着色乳化アスファルト防水塗料は防水の機能を効果的に果たすことができる。天然ゴムは優れる緩衝と耐震の機能を果たすことができる。
【図面の簡単な説明】
【０００８】
【図１】図１は、本実用新案の正面図である。
【考案を実施するための形態】
【０００９】
以下、図面とともに本実用新案について、さらに説明する。
実施例１
図１に示すように、本実用新案に係る耐震耐圧防水保温建材板は、石膏板1を含み、前記石膏板1の表裏面にそれぞれ波紋形のバッファ板7が設けられ、前記バッファ板7と石膏板1によりなるスリットに充填物が備えられ、前記充填物は遠心グラスウール材製である。その一方のバッファ板7の表面に外側から防水塗布層3、防食塗布層4、防水板5、バッファパッド6と保温層2が備えられている。前記防水塗布層3は、非イオン性乳化アスファルト防水塗料又は着色乳化アスファルト防水塗料を塗布してなる。バッファパッド6は天然ゴム製である。前記防食塗布層4は結晶片状黒鉛製である。非イオン性乳化アスファルト防水塗料又は着色乳化アスファルト防水塗料は防水の機能を効果的に果たすことができる。天然ゴムは優れる緩衝と耐震の機能を果たすことができる。前記石膏板1の表裏面にそれぞれ波紋形のバッファ板7が設けられ、前記バッファ板7の裏に遠心グラスウール材が充填されている。バッファ板7は、軽量、強度が高く、防水、耐震、防塵、防音、吸音、恒温などの特性があるとともに、工程が短期間でかつ簡単に行えるなどのメリットがある。前記防食塗布層4は結晶片状黒鉛製である。結晶片状黒鉛は塗布材料のうち機能的な充填材料として防食、防火に用いられているが、それに加えて木炭、石粉、オイル等により制作される防錆プライマは、優れる耐化学性と耐溶剤性を有する。その成分に亜鉛黄その他化学顔料を入れば、防錆効果がよくなる。
【００１０】
上記の実施例において、防水板5は高密度ポリエチレン製又はポリ塩化ビニル製である。高密度ポリエチレン製の防水板5は無毒無味の特徴を有するとともに、安定性にも優れて、防水をよく行える。ポリ塩化ビニル製の防水板5は耐劣化と耐腐食の特徴を有するとともに、防水をよく行える。
【００１１】
上記の実施例において、保温層2は、ポリウレタン製である。ポリウレタン製の保温層2は熱的性能がよく、熱伝導係数が低いので、保温を効果的に行えるとともに、防火、阻燃、耐食、耐高音圧の特徴を有する。
【符号の説明】
【００１２】
１  石膏板
２  保温層
３  防水塗布層
４  防食塗布層
５  防水板
６  バッファパッド
７  バッファ板
【図１】
0003218318.tif 000003
(57)【要約】【課題】リハビリ中であっても仰臥位ないし座椅子上でアキレス腱や膝頭裏、ふくらはぎなどの足（脚）部牽引トレーニングが自力でできるような用具を提供すること。【解決手段】２枚の方形状板体１の各一辺を近接させ、そこを回転軸としてく字状に屈曲できるようにスプリング体２で両者を連結し、かつ連結された２枚の方形状板体１の少なくとも１枚の回転軸から離れた箇所にそこを使用者の手で引き寄せるための紐状牽引体３を取り付ける。また仰臥状態における両足の踵部を乗せるための凹部が二か所形成された踵置き台５を付帯部品としてセットする。【選択図】図１
0003218354.tif 000002
【実用新案登録請求の範囲】
【請求項１】
２枚の方形状板体の各一辺を近接させ、そこを回転軸としてく字状に屈曲できるようにスプリング体で両者を連結し、かつ連結された２枚の方形状板体の少なくとも１枚の回転軸から離れた箇所にそこを使用者の手で引き寄せるための紐状牽引体を取り付けたことを特徴とする足部牽引リハビリ用具。
【請求項２】
仰臥状態における両足の踵部を乗せるための凹部が二か所形成された踵置き台を付帯部品としてセットした請求項１記載の足部牽引リハビリ用具。
【考案の詳細な説明】
【考案の詳細な説明】
【技術分野】
【０００１】この考案は、リハビリ中の人でも足（脚）部などのトレーニングが自力でできる足部牽引用具に関する。
【背景技術】
【０００２】足（脚）のアキレス腱や膝頭裏、ふくらはぎなどのストレッチはアスリートに限らず一般的なトレーニングや整復操作の重要な要となっており、これを助けるための器具として、踏み板の角度を可変性にしてその上に立った人の踵を爪先より上げ下げ自在にできるようにしたものが、既に各種見受けられる。
【考案の開示】
【考案が解決しようとする課題】
【０００３】このような在来の牽引トレーニング用具は、一般に起立運動が自力で出来るほどの基礎体力がある人を対象にしており、様々な原因で困難となった起立運動を回復させるためのリハビリ中の人にとっては、使用そのものが事実上不可能となっていた。【０００４】本考案はかかる問題点を解決するために、リハビリ中であっても仰臥位や座椅子上でアキレス腱や膝頭裏などの足（脚）部牽引トレーニングが自力でできるような用具を提供することを課題とする。
【課題を解決するための手段】
【０００５】２枚の方形状板体１の各一辺を近接させ、そこを回転軸としてく字状に屈曲できるようにスプリング体２で両者を連結し、かつ連結された２枚の方形状板体１の少なくとも１枚の回転軸から離れた箇所にそこを使用者の手で引き寄せるための紐状牽引体３を取り付けて、本考案の足部牽引リハビリ用具とする。【０００６】上記２枚の方形状板体１の各一辺を近接して連結するスプリング体２は、例えば円ないしコイル状に巻いた弾性線材を図面のように該板体の近接部（回転軸）の両横部に取り付ければよい。その際、横臥して足裏が自然に定まる上向き傾斜角度（ノートパソコン使用時のディスプレイ傾斜角度に近い）を立ち上げ側の方形状板体１の傾斜角度としてこれを該スプリング体２のニュートラル（復原力が働かない）状態となるようにする（図１）。【０００７】これを使用するにあたり、使用者は寝床や座椅子のポジションで足を伸ばして踵を該板体の近接部（回転軸）に近づけるように置き、図２のように紐状牽引体３を両手で持って引っ張れば、立ち上げの方形状板体１は手前に回動して鋭角状となるから、アキレス腱や膝頭裏、ふくらはぎが牽引されるストレッチとなる。【０００８】その際の使用者は、上部に二か所の凹部が形成された踵置き台５に両足の踵部を乗せると、一連の動作が安定しスムーズに行えることが判明したので、これを付帯部品として一体化もしくは分離状にセット化するものとする。【０００９】なおそのリハビリ操作の際には、スプリング体２の弾性に逆らって紐状牽引体３を引っ張るから、手腕も同時に適度の運動になり、休めば自ずから楽なニュートラル状態となって安定することになる。【００１０】また使用する紐状牽引体３は便宜上紐状と表現したが、本考案ではこれが鎖状であったり複数の取手部を有する棒状体であっても同等とみなす。
【考案の効果】
【００１１】本考案によれば、起立行動が困難なリハビリ中の人でも、仰臥位や座椅子使用状態で足脚の要部の牽引トレーニングを行うことができると同時に上半身の運動にもなり、従ってリハビリの継続的実行を自力で行うことができるから、回復の早期化につながる効果がある。
【考案を実施するための形態】
【００１２】両足を自然に支持するに足る２枚の同形同寸法の長方形板（方形状板体１）の一辺を互いに近接して約１２０°の角度を保ちつつその両端を３回巻のスプリング体２で連結固定する。立ち上げ側の方形状板体１の上方両横部に紐状牽引体３の片端を括り付けるための支持体４を固設して、これに右手と左手がそれぞれ持つための紐（紐状牽引体３）の片端を括り付ける。
【００１３】踵置き台５は、横幅が方形状板台１と略等しく、踵を乗せる上部二か所の凹部の高さをおよそ２〜３ｃｍとし、角に丸みをもたせたソフトな感触のものとする。
【００１４】なお上記の足部牽引リハビリ用具を運搬や保管中にコンパクトな形に折り畳むような止具を取り付けたり、方形状板体１の足乗せ面を滑り止め状に形成することは任意であり、本考案はかかる例に限定されるものでないことは勿論である。
【産業上の利用可能性】
【００１５】本考案の足部牽引リハビリ用具はニーズが多く、製作も容易であるから、産業上の利用可能性は十分にある。
【図面の簡単な説明】
【００１６】
【図１】本考案一例の見取図
【図２】使用時を示す本考案一例の見取図
【符号の説明】
【００１５】１……方形状板体
２……スプリング体
３……紐状牽引体
４……支持体
５……踵置き台
【図１】
0003218354.tif 000003
【図２】
0003218354.tif 000004
(57)【要約】      （修正有）【課題】接着剤を使わずに組み立てることができ、又、外して収納できる為、出張装飾する職業の方々に扱いやすい装飾用の花を提供する。【解決手段】花弁１１の一枚一枚に切り目１２を有し、その切り目の中に花芯１３を貫通させた装飾用の花であって、花芯を花弁の切り目に決められた順番に入れる事で接着剤を使わずに組み立てて又、外すことができる。【解決手段】図１【実用新案登録請求の範囲】
【請求項１】
花弁の一枚一枚に切り目を入れて、その切り目の中に花芯を決められた順番に入れる事で接着剤を使わずに組み立てて又、外す事ができる為収納可能な大きな花
【考案の詳細な説明】
【技術分野】
【０００１】  本考案は病院・学校・支援センター・老人ホーム等の施設に、出張装飾する時に使う大きな花である。接着剤を使用せずに、花弁に切り目を入れて花芯を順番に入れて組み立てると大きな花ができる。又、接着剤を使っていない為、外して折り畳む事が可能な花である。
【背景技術】
【０００２】  現在の装飾用の大きな花は接着剤等を使用している物も多く、なんの問題も見当たらない。
【考案の概要】
【考案が解決しようとする課題】
【０００３】  本考案は花弁を簡単に組み立てたり外したりできる大きな花である。
【課題を解決するための手段】
【０００４】  本考案は花弁の切り目を順番に組み立てている為、花弁を外して収納が簡単にできる事を特徴とする。【０００５】  現在使用されている装飾用の大きな花は、作るのに時間がかかり取扱いも不便である。従って組み立てたり外す事が可能な大きな花は前述の欠点を解決しようとする物である。
【考案の効果】
【０００６】  本考案は出張で装飾する為の負担を少なくする装備で、施設の事業等の装飾に役立てる物である。
【図面の簡単な説明】
【０００７】
【図１】本考案に係る大きな花の一例を示す斜視図である。
【考案を実施するための形態】
【０００８】  以下の図面に基づき本考案の実施例を説明する。図１１は本考案に係る大きな花の一例を示すものである同図に示す様に、花本体１１に切り目１２をつけた所に１３花芯を入れて編み込む様に組み立てて接着剤等を使用しなくても大きな花ができる仕組みである。
【符号の説明】
【０００９】１１  本体
１２  組立  切り目線
１３  花芯
【図１】
0003218353.tif 000002
【手続補正書】
【提出日】平成30年7月19日(2018.7.19)
【手続補正１】
【補正対象書類名】実用新案登録請求の範囲
【補正対象項目名】全文
【補正方法】変更
【補正の内容】
【実用新案登録請求の範囲】
【請求項１】
花弁の一枚一枚に切り目を有し、その切り目の中に花芯を貫通させた装飾用の花であって、前記花芯を前記花弁の切り目に決められた順番に入れる事で接着剤を使わずに組み立てて又、外すことができる収納可能な装飾用の花。
(57)【要約】      （修正有）【課題】名刺を名刺入れや財布の中で長期間保管する場合でも、折れや汚れなどの劣化を防ぐことができ、また、多数の名刺の束の中でも、特有の存在感を与え、目立たせることができる名刺用袋を提供する。【解決手段】名刺サイズより若干大きい寸法に形成された、少なくとも一方の面が透明な、開口部に口ズレを有するフィルムの袋である。これにより、名刺を名刺入れや財布の中で長期間保管する場合でも、折れや汚れなどの劣化を防ぐことができる。本考案の袋に入れた状態で名刺を渡し、相手には袋に入れたまま名刺入れに保管してもらうことで、他の名刺とは異なる視覚的および触覚的な特徴を持たせることができる。また、受け取った名刺を本考案の袋に入れることにより、相手の名刺を、ひいては名刺の主を大切にしているという印象を与えることができる。袋の開口部に２ｍｍ程度の口ズレ加工が施してあることにより、名刺を容易に出し入れすることができる。【選択図】図２
0003218365.tif 000002
【実用新案登録請求の範囲】
【請求項１】
名刺サイズより若干大きい寸法に形成された、少なくとも一方の面が透明な、開口部に口ズレを有するフィルムの袋。
【考案の詳細な説明】
【技術分野】
【０００１】  本考案は、名刺入れの中で名刺の外観が低下することを避け、かつ名刺を美しく見せて、名刺を渡した相手に強く印象づけるための袋の考案である。
【背景技術】
【０００２】  従来、名刺を名刺入れ、あるいは財布の中に入れておくと、時間の経過とともに、名刺が汚れたり、角が折れたりするという問題があった。【０００３】  また名刺を渡しても、なかなか相手に覚えてもらえないという問題があった。特に大勢の人と名刺交換をするビジネス交流会などでは、一人一人の印象が弱くなりがちである。そのため、後で名刺と人物が一致しなくなり、相手に覚えてもらいにくいという問題があった。
【先行技術文献】
【特許文献１】公開特許公報平１０−５７１３３号
【考案の概要】
【考案が解決しようとする課題】
【０００４】  本来、他人に渡すための名刺および他人から受け取った名刺は、いつまでも綺麗な状態で保持したいものである。しかし、名刺入れや財布の中に入れておいても、角が折れる、手垢などの汚れがつく、シワになるなどの問題があった。【０００５】  また、相手に良い印象を与え、後に連絡してもらえることを期待して名刺を交換するものであるが、標準的なマナーを守るだけでは、良好な印象形成につながりにくい。特に、多人数が一堂に会した場合には、どの人物からもらった名刺かわからなくなり、連絡をもらう機会を逸しかねないという問題があった。【０００６】  特許文献１には、名刺の出し入れが容易なケースが開示されている。しかし、この構成では名刺の面全体およびすべての角を保護することができず、折れや汚れを完全に防ぐには不十分であるという問題があった。
【課題を解決するための手段】
【０００７】  本考案は、名刺サイズより若干大きい寸法に形成された、少なくとも一方の面が透明な、開口部に口ズレを有するフィルムの袋である。
【考案の効果】
【０００８】  上記課題を解決するため、名刺用の袋を開発した。これにより、名刺を名刺入れや財布の中で長期間保管する場合でも、折れや汚れなどの劣化を防ぐことができる。【０００９】  本考案の袋に入れた状態で名刺を渡し、相手には袋に入れたまま名刺入れに保管してもらうことで、他の名刺とは異なる視覚的および触覚的な特徴を持たせることができる。すなわち、フィルムの光沢や手触りを名刺に付与することにより、多数の名刺の束の中でも、特有の存在感を与え、目立たせることができる。【００１０】  また、受け取った名刺を本考案の袋に入れることにより、相手の名刺を、ひいては名刺の主を大切にしているという印象を与えることができる。特に、名刺を袋に入れる動作を相手の目の前で行うことにより、相手の記憶に残りやすいアピールをすることができる。【００１１】  袋の開口部に口ズレ加工が施してあることにより、名刺を容易に出し入れすることができる。また、相手の目の前で名刺を袋に入れる際も、スマートな所作で行うことができる。
【図面の簡単な説明】
【図１】図１は、本考案の名刺用袋の図である。
【図２】図２は、本考案の名刺用袋に、名刺を挿入中の状態を示す図である。
【考案を実施するための形態】
【００１２】  以下、本考案を図面に基づいて説明する。
図１において、名刺用袋は開口部に２ｍｍ程度の口ズレ部を有する。開口部以外の各辺は、名刺が出ないよう閉じた構造になっている。
【００１３】  本考案の名刺用袋の材料としては、厚み２５ミクロンから６０ミクロン程度までの、ＯＰＰフィルムまたはＣＰＰフィルムを用いる。ここで、ＯＰＰフィルムとは、Ｏｒｉｅｎｔｅｄ  Ｐｏｌｙｐｒｏｐｙｌｅｎｅの略で、２軸延伸ポリプロピレンのフィルムを指す。一方、ＣＰＰフィルムとは、Ｃａｓｔ  Ｐｏｌｙｐｒｏｐｙｌｅｎｅの略で、無延伸ポリプロピレンフィルムを指す。
【００１４】  ＯＰＰには透明性に優れ、引張強度が高いという長所があるが、切れ目や接合部から裂けやすいという短所がある。対して、ＣＰＰは、透明度はＯＰＰより低くなるが、切れ目や接合部における引き裂きに強いという利点がある。
【００１５】  名刺用袋を製造するにあたり、これらのフィルムのいずれかを単独で使用し、袋を製造するのが一般的である。しかし、強度を持たせるため、ＯＰＰとＣＰＰフィルムとを重ね合わせて接着した、ラミネートのフィルムを用いる場合もある。
【００１６】  なお、名刺のサイズとしては、東京４号または大阪９号と呼ばれる、長辺９１ｍｍ、短編５５ｍｍのものが一般的である。しかし、女性名刺とも呼ばれる３号（長辺８５ｍｍ、短編４９ｍｍ）、欧米サイズと呼ばれる長辺８９ｍｍ、短編５１ｍｍのものなど、多数の規格がある。本考案における名刺のサイズはこれらを含むが、これらに限定されるものではない。
【００１７】  図２において、名刺用袋は少なくとも一方の面が透明である。そのため、袋に入れた状態で、名刺に記載された情報を判読可能である。
【００１８】  名刺用袋には、名刺に記載された情報の読み取りを妨げない程度に、印刷が施されてもよい。印刷の方法として、例えばグラビア印刷が挙げられるが、これに限定されるものではない。
【符号の説明】１  名刺用袋
２  口ズレ部
３  名刺
【図１】
0003218365.tif 000003
【図２】
0003218365.tif 000004
(57)【要約】      （修正有）【課題】室内で器具を用いてジョギングをする際の振動及び走行音を防止するため、３層のマットを設け、下部マットに滑り止め用のクリップが付いたループを設け、振動を発生させず静かにジョギングすることができるジョギングマットを提供する。【解決手段】上部マット１の下に中間マット２を設け、さらにその下に下部マット３を設け、その下部マットに滑り止め用のクリップ４が付いたループ５を設けたジョギングマットであり、クリップを室内の適当な個所に固定して使用する。【選択図】図２
0003218361.tif 000002
【実用新案登録請求の範囲】
【請求項１】
室内で器具を用いてジョギングをする際、起毛素材の上部マットの下に柔らかく弾力のある素材の中間マット、その下に滑りにくい素材の下部マットを設け、下部マットに滑り止め用のクリップが付いたループを設けて振動及び走行音を発生させないでジョギングすることを特徴とするマット。
【考案の詳細な説明】
【技術分野】
【０００１】  本考案は、室内でジョギングができるジョギングマットに関するものである。
【背景技術】
【０００２】  従来、室内でジョギングする際、ジョギングマシンの欠点を解消した器具がなかった。
【先行技術文献】
【特許文献】
【０００３】
【特許文献１】
【非特許文献】
【０００４】
【非特許文献１】
【考案の概要】
【考案が解決しようとする課題】
【０００５】  従来、室内でジョギングする際、ジョギングマシンの欠点を解消した器具がなく、そのジョギングマシンは次のとおり欠点があった。
（イ）場所を取る。
（ロ）器具が重い。
（ハ）走行時に振動が発生する。
（ニ）走行時にシューズの着地音及び機械音が発生する。
本考案は、以上の欠点を解決するものである。
【課題を解決するための手段】
【０００６】  本考案は、上部マットの下に中間マット、その下に下部マットを設け、下部マットに滑り止め用のクリップが付いたループを設けることにより、ジョギングの際の振動及び走行音の発生という問題点を解決している。
上記の各マット及び部品は添付図面のとおりであり、その特徴は、次のとおりである。
１  上部マット…ジョギングシューズの着地音を吸収する起毛素材のマット。
２  中間マット…ジョギング時の振動を吸収する柔らかく、弾力のある素材のマット。
３  下部マット…ジョギング時にマットが滑りにくくする素材のマット。
４  クリップ……ループの中間箇所に付いており、マットの滑りを防いでいる。
５  ループ………マットとクリップの距離を適度にとっている。
以上の構造により、室内での器具によるジョギングの際に振動及び走行音が発生するという欠点を解決している。
【考案の効果】
【０００７】  上部マットの下に中間マット、その下に下部マットを設け、その下部マットに滑り止め用のクリップが付いたループを設けているため、振動及び走行音を発生させないので、どのような構造の家屋であっても、いつでも室内で音楽等を聴きながらのジョギングに役立つ。
【図面の簡単な説明】
【０００８】
【図１】  本考案の平面図である。
【図２】  本考案の側面図である。
【考案を実施するための形態】
【０００９】  当該マットを床に置き、そのマットに設けた滑りを防ぐためのループに付いたクリップを室内の適当な箇所に固定し、ジョギングの際にマット自体が滑らず、振動もなく静かにジョギングをすることができる。
【実施例】
【００１０】  以下、添付図面に従って実施例を説明する。
ジョギングシューズの着地音を防ぐための起毛素材の上部マットの下に、振動を防ぐための柔らかく弾力のある中間マット、その下にマット自体を滑りにくくする素材の下部マットを設け、その下部マットに設けたループの中間箇所に付いたクリップを室内の適当な個所に固定して、マット自体の滑りを止め、室内で振動及びシューズの着地音を発生させずにジョギングする。
【符号の説明】
【００１１】  １  上部マット
２  中間マット
３  下部マット
４  クリップ
５  ループ
【図１】
0003218361.tif 000003
【図２】
0003218361.tif 000004
(57)【要約】      （修正有）【課題】紛失を防止することができるギター用ピックを提供する。【解決手段】紛失防止機能を備えたギター用ピックであって、ピック本体１に、ギター本体のペグポストを挿入する穴開口部２と、ペグポストを挟持するための突片３とが設けられており、穴開口部２はペグポスト上部外径より小さく、突片３の厚みはピック本体部１より薄くバネ性を持たせてある。これにより、突片３はペグポストを挟持し自然に脱落する事がない。【選択図】図１
0003218739.tif 000002
【実用新案登録請求の範囲】
【請求項１】
本物品は、紛失防止機能を備えたギター用ピックである。ピック本体に設けた穴に、ギター本体ペグポスト部を挿入し保持される。
ピックに設けた穴開口部はペグポスト上部外径よりやや小さく、内周測突片はバネ性を持たせペグポストを挟持し、自然に脱落する事がない。
【考案の詳細な説明】
【技術分野】
【０００１】      本考案は、紛失を防止するピックに関するものである。
【背景技術】
【０００２】  ピックの紛失を防ぐ手段として、キーホルダータイプの収納ケース、ギター本体に装着ができる収納ケース、収納ポケットが設けられているギターストラップ、ストラップや紐もしくはキーホルダーを通す為の穴を設けたピック等の物品が用いられていた。
【先行技術文献】
【非特許文献】
【０００３】
【非特許文献１】特開２０１３−８０１６７（Ｐ２０１３−８０１６７Ａ）
【考案の概要】
【考案が解決しようとする課題】
【０００４】  紛失防止に用いる物品購入による経済的負担と、それら物品を保管するスペースも必要になる。従って紛失を防止する機能とピックを一体化することにより前述の欠点を解決しようとするものである。
【課題を解決するための手段】
【０００５】  本考案は、ピックに設けた穴にギター本体ペグポストを挿入し保持される。ピックはギター本体へ保持されることにより問題点を解決している。
【考案の効果】
【０００６】  上記の様に、ピックはギター本体へ保持されることにより紛失の防止になり、しかも収納ケースやストラップ等物品の購入を必要としない。
【図面の簡単な説明】
【０００７】
【図１】本考案の紛失防止ピックの実施例を示す図面である。
【考案を実施するための形態】
【０００８】  ピック本体にはギター本体のペグポストを挿入する穴開口部が設けられている。ペグポストを挿入した状態で自然に脱落する事がなく保持されるよう、穴開口部はペグポスト上部外径よりやや小さく、突片の厚みはピック本体部より薄くバネ性を持たせてある。それによりペグポストを挟持し保持され、さらに脱着が容易に行える。
【実施例】
【０００９】  以下、送付図面に沿って一実施例を説明する。１は耐久性のプラスチック等適宜素材にて一体化成形されたピック本体、２はペグポストを挿入する穴開口部、３はペグポストを挟持するための突片である。
【符号の説明】
【００１０】    １  ピック本体
２  穴開口部
３  突片
【図１】
0003218739.tif 000003
【手続補正書】
【提出日】平成30年8月21日(2018.8.21)
【手続補正１】
【補正対象書類名】実用新案登録請求の範囲
【補正対象項目名】全文
【補正方法】変更
【補正の内容】
【実用新案登録請求の範囲】
【請求項１】
紛失防止機能を備えたギター用ピックであって、ピック本体に、ギター本体のペグポストを挿入する穴開口部と、ペグポストを挟持するための突片とが設けられており、前記穴開口部はペグポスト上部外径より小さく、前記突片の厚みはピック本体部より薄くバネ性を持たせてあることを特徴とするギター用ピック。
(57)【要約】      （修正有）【課題】軟質ゴム等の板状本体に靴下差し込み部、ピンチ挟み部を設け、そのまま洗濯機にて洗って干せる靴下洗い干し具を提供する。【解決手段】軟質ゴム等の板状本体１に靴下差し込み部２を設け、中央には本体に吊る半月形吊り下げ部３を設け、洗濯後にピンチで挟んで乾燥する。取り入れる時は、靴下の同じ種類を揃え左右を合わせて折り込み引き抜くことにより整理に役立つ。【選択図】図１
0003218735.tif 000002
【実用新案登録請求の範囲】
【請求項１】
洗濯機に傷を付けない軟質ゴム等の素材で成形した干し具の中央にピンチで挟み、吊り下げ用半月形切れ込みを入れ、四葉形中央にＸ、又は丸穴等を設け靴下足先を穴に差し込み洗い、そのままピンチで挟んでハンガーに吊るし乾燥したら左右合わせて折り込み係脱自在としたことを特徴とする靴下洗い干し具。
【考案の詳細な説明】
【技術分野】
【０００１】    本考案は、軟質ゴム等の差し込み部に靴下を差し込み、洗い乾燥干し部を設けた靴下洗い干し具に関するものである。
【背景技術】
【０００２】靴下はほかの衣類と一緒に洗い一足ずつピンチに挟んで干しバラバラに取り入れ両足分揃えるのが大変だった。
【先行技術文献】
【特許文献】
【０００３】
【非特許文献】
【０００４】
【非特許文献１】（株）大創産業  パンプスハンガー
【考案の概要】
【考案が解決しようとする課題】
【０００５】靴下は一組左右２足のため、多数の靴下は長短、色柄等有り整理負担も大きく、又スペースも必要になる。従って洗いとハンガーの機能を一体化することにより、靴下の迷子を防ぎ着脱整理が可能になり前述の欠点を解決しようとするものである。
【課題を解決するための手段】
【０００６】本考案は、板状本体（１）に靴下差し込み部（２）を設け、その穴に靴下先（５）を差し込み、洗濯機を傷つけず洗い半月形吊り下げ部（３）をピンチ（６）に吊るして干し、取り入れる時は靴下左右を合わせて折り込み、そのまま引き抜くことにより混雑を省くことにより問題点を解決している。
【考案の効果】
【０００７】上述のように、本考案は板状本体？（１）が軟質ゴム製のため洗濯機を傷付けず騒音も少なく洗い、吊り下げ部（３）をピンチ（６）で挟み、ハンガーに吊るして干し収納時は靴下左右を合わせて折り込みそのまま引き抜くことにより迷子混雑を省くことにより問題点を解決している。
【図面の簡単な説明】
【０００８】
【図１】本考案の靴下洗い干し具の平面図である。
【図２】本考案の靴下洗い干し具の実施例を示す正面図である。
【考案を実施するための形態】
【０００９】板状本体（１）に靴下差し込み部（２）と半月形吊り下げ部（３）を打ち抜き成形する。
吊り下げ部（３）は、一端又は二端及び予備（４）をピンチ（６）で挟んで吊り下げる。
【実施例】
【００１０】    以下、添付図面に従って実施例を説明する。
１  は軟質ゴム等、適宣素材にて一体抜き成型板状本体。
２  は靴下差し込み固定する切込み
３  は本体をピンチ（６）で挟んで吊り下げる半月形吊り下げ部
４  は予備吊り下げ部
５  は本体（１）に差し込んだ靴下で取り入れ時は左右揃えて折り込み引き抜く。
６  本体吊り下げピンチ
７  ピンチのハンガー取り付け具で本体を吊り下げる。【００１１】    本考案実施例は上述の如き構成からなるものであるから板状本体（１）に靴下を差し込み（５）洗濯後吊下げ部（３）を起こしてピンチ（６）で挟んでハンガーに吊り下げて干し、靴下下部を左右揃えて折り込み引き抜き取り入れる。
【符号の説明】
【００１２】    １  板状本体
２  靴下差し込み部
３  半月形吊り下げ部
４  予備吊下げ部
５  靴下
６  ピンチ
７  ハンガー取付具
【図１】
0003218735.tif 000003
【図２】
0003218735.tif 000004
【手続補正書】
【提出日】平成30年8月20日(2018.8.20)
【手続補正１】
【補正対象書類名】実用新案登録請求の範囲
【補正対象項目名】全文
【補正方法】変更
【補正の内容】
【実用新案登録請求の範囲】
【請求項１】
軟質ゴムで成型した板状本体（１）からなり、前記板状本体に靴下を差し込む為の切り込み、又は穴からなる靴下差し込み部（２）を設けると共に、前記板状本体の中央部分に当該板状本体をピンチに吊るすための吊り下げ部（３）を設けたことを特徴とする靴下洗い干し具。